(57)【特許請求の範囲】
【請求項１】
商品を吊り下げて陳列する商品吊下棒の水平方向に延びる後端部を挿入して把持する把持孔を有した商品陳列用具であって、
前記把持孔の前方に第二誘導部を、
当該第二誘導部の前方に第一誘導部を備えており、
前記第一誘導部は、前記第二誘導部に連続し、なおかつ、前記商品吊下棒の後端部を接触させて支持可能な開口面を有しており、
前記把持孔、前記第二誘導部、及び前記第一誘導部の開口面は、水平方向に向かって同一直線上に配置されており、
さらに、前記第二誘導部は、前記把持孔に連続し、なおかつ、把持孔に向けて傾斜した側面を有することを特徴とする商品陳列用具。
【請求項２】
第一誘導部の開口面は、把持孔に向けて傾斜していることを特徴とする請求項１に記載の商品陳列用具。
【発明の詳細な説明】
【技術分野】
【０００１】
本願発明は、店舗等で商品を吊り下げて陳列する際に用いる商品陳列用具に関するものである。
【背景技術】
【０００２】
店舗等では、商品を吊り下げて陳列する形式の商品陳列用具が用いられてきた。そして、陳列された商品は、古いものから順次売られていくことが望ましいため、前側に古い商品が、後側には補充された新しい商品が常に陳列される、いわゆる先入先出がなされている。
【０００３】
この先入先出を行うために、新しい商品を補充する際には、前側に吊り下げられた古い商品を商品吊下棒からすべて取り出し、後側に新たな商品を補充する。そして、もう一度、取り出した古い商品を商品吊下棒に吊り下げ直していた。しかし、新しい商品を補充する度に、古い商品を全て取り出し、再び戻さなければならず、非常に面倒であった。
【０００４】
そこで、先入先出を行いやすくする商品陳列用具として、例えば、図５に示す商品陳列用具２０が知られている。この商品陳列用具２０は、商品吊下棒１５の下方に屈曲した後端部１５aを、把持孔１１に上方から差し込むことが出来るものである。
【０００５】
そのため、先入先出を行う場合は、古い商品Ｘ２を吊り下げたまま商品吊下棒１５を取り外し、後端部１５a側から新しい商品Ｘ１を補充する。そして、後端部１５a側を手で持って後端部１５aを把持孔１１に再び差し込めば、補充作業が完了する。したがって、古い商品Ｘ２を全て取り外す必要がなく、商品の補充作業が容易となった。
【０００６】
また、この種の商品陳列用具が用いられる売り場等では、図５に示すように上下左右に複数の商品陳列用具２０を陳列棚等の支柱Ｚ上に配置し、多くの商品Ｘを隙間なく陳列させることで、陳列効率を向上させている。
【０００７】
ただ、ここで問題となるのは、後端部１５aを把持孔１１に差し込む作業は、正確性を要する作業であり、後端部１５aに近い側を手で持って操作しなければ、確実に後端部１５aを把持孔１１に差し込むことができない。すると、上下左右に商品Ｘが隙間なく陳列されている状況下では、後端部１５aに近い側に作業者が手を伸ばして、後端部１５aを把持孔１１に差し込む作業は、周囲の商品Ｘが邪魔になり非常に行いにくく、手間がかかり作業性が悪いものであった。また、後端部１５aに近い側に無理に手を伸ばして作業を行うとすれば、周囲の商品Ｘに手や腕が触れて、商品Ｘが落下することや、潰したり傷つけてしまう危険性もある。
【０００８】
一方で、商品吊下棒１５の先端部１５b側を手で持って、後端部１５aを把持孔１１に差し込もうとしても、先端部１５b側の操作では、反対側の後端部１５aでの操作精度が落ちるため、簡単には把持孔１１に差し込むことが出来ない。そのため、作業が非常に煩雑で困難となり、作業者に多大な負担をかけていた。
【先行技術文献】
【特許文献】
【０００９】
【特許文献１】特許第３５９２３０３号
【発明の開示】
【発明が解決しようとする課題】
【００１０】
そこで、本願発明は上記問題に鑑み、商品吊下棒の先端部側における簡単な操作により、手間がかからず容易に商品の補充作業を可能とする商品陳列用具を提供することを目的としている。
【課題を解決するための手段】
【００１１】
本願発明の商品陳列用具は、商品を吊り下げて陳列する商品吊下棒の後端部を挿入して把持する把持孔を有した商品陳列用具であって、前記把持孔の前方に第二誘導部を、当該第二誘導部の前方に第一誘導部を備えており、前記第一誘導部は、前記第二誘導部に連続し、なおかつ、前記商品吊下棒の後端部を接触させる開口面を有しており、さらに、前記第二誘導部は、前記把持孔に連続し、なおかつ、把持孔に向けて傾斜した側面を有することを特徴としている。
【００１２】
上記特徴によれば、先入先出となるような商品の補充作業において、商品吊下棒の後端部側に新たな商品を補充した後、再び商品吊下棒を戻す場合に、まず、商品吊下棒の後端部を第一誘導部の開口面へと接近させて接触させる。この作業は、従来の商品陳列用具２０のように後端部１５aを把持孔１１に差し込むという正確性が必要なものと異なり（図５参照）、開口面へその開口側から単に後端部を接触させるのみでよく、非常に簡単なのである。そのため、従来に比べて操作の正確性が必要ではなく、商品吊下棒の先端部側を手で持って操作しても、十分に作業が出来るのである。
【００１３】
さらに、開口面は、第二誘導部に連続しているため、商品吊下棒の後端部を開口面に接触させた状態のままで、商品吊下棒を商品陳列用具に向けて押し込めれば、商品吊下棒の後端部は、第二誘導部へと誘導されることになる。
【００１４】
次に、第二誘導部は、前記把持孔に連続し、なおかつ、把持孔に向けて傾斜した側面を有するため、更に商品吊下棒を押し込めれば、商品吊下棒の後端部は当該側面に接触しつつ、把持孔へ誘導されることになる。そして、商品吊下棒の後端部は、把持孔に確実に挿入されることになる。
【００１５】
このように、本願発明の商品陳列用具では、商品吊下棒の後端部を第一誘導部の開口面へと近づけて接触させ、次に、その状態のまま商品吊下棒を押し込めるという簡単な作業により、商品吊下棒の後端部を把持孔に挿入して把持させることができる。この作業は、商品吊下棒の先端部側における操作により実現できるため、従来のように、商品吊下棒の後端部を手で持って操作する必要がないのである。
【００１６】
さらに、本願発明の商品陳列用具は、第一誘導部の開口面が、把持孔に向けて傾斜していることを特徴としている。
【００１７】
上記特徴によれば、第一誘導部の開口面が把持孔に向けて傾斜しているため、商品吊下棒の後端部を把持孔へとより誘導し挿入しやすくなる。
【発明の効果】
【００１８】
上記のように、本願発明の商品陳列用具によれば、商品吊下棒の先端部側における簡単な操作により、手間がかからず容易に商品の補充作業を可能とする。
【図面の簡単な説明】
【００１９】
【図１】（a）は、本願発明の商品陳列用具の一例の斜視図、（ｂ）は、本願発明の商品陳列用具の側面図である。
【図２】（a）〜（ｄ）は、図１の商品陳列用具の断面図である。
【図３】（a）〜（ｃ）は、図１の商品陳列用具の把持孔に商品吊下棒を挿入する様子を示した断面図である。
【図４】（a）、（ｂ）は、図１の商品陳列用具の使用態様の一例である。
【図５】本願発明の背景技術の商品陳列用具の一例を示すものである。
【符号の説明】
【００２０】
１     把持孔
２      第二誘導部
２a    側面
３     第一誘導部
３a    開口面
５     商品吊下棒
５a    後端部
６     商品表示棒
１０    商品陳列用具
Ｘ     商品
Ｙ      商品表示板
【発明を実施するための形態】
【００２１】
以下に、本願発明の実施の形態について、図面を用いて説明する。
【００２２】
図１（a）は、本願発明の商品陳列用具１０の斜視図、（ｂ）は、本願発明の商品陳列用具１０の側面図である。この商品陳列用具１０は、第一誘導部３と、商品陳列用具１０の内部に第二誘導部２及び把持孔１を備えており、これらは一体成型されている。また、この商品陳列用具１０には、商品吊下棒５と商品表示棒６を取り付けることができる。商品表示棒６は、嵌込部６aを固定孔７aに差込み、突起部６bを挟持部７bに挟み込んで、商品陳列用具１０に固定している。
【００２３】
先入先出されるように、商品の補充をする際には、商品吊下棒５を商品陳列用具１０から取り外し、後端部５a側から新たな商品を補充して、再び、後端部５aを商品陳列用具１０内の把持孔１へ挿入して取り付けることになる。ところで、第一誘導部３の開口面３aは、商品陳列用具１０内の第二誘導部２に連続しているため、開口面３aへ後端部５aを接触させ、その状態から商品吊下棒５を押し込めると、後端部５aを第二誘導部２へ誘導させることができる。従来の商品陳列用具２０は（図５参照）、後端部１５aを把持孔１１に挿入するという正確性を要する作業であったために、後端部１５a付近を手で持って操作していた。しかし、本願発明の商品陳列用具１０のように後端部５aを開口面３aに接触させることは、従来に比べて正確性を要せず簡単であり、商品吊下棒５の先端部側（後端部５aの反対側）を手で持って操作しても、十分に作業が出来るのである。
【００２４】
また、開口面３aは上方に開口しているので、後端部５aをその開口側から自重に任せるようにして下方に下ろせば、後端部５aが開口面３aに接触することになる。通常、商品吊下棒５には複数の商品が吊り下げられていることから、このように商品の自重に任せて下ろす操作は、作業者にとって最も負担の少ない操作となるのである。また、開口面３aは、上方に開口している形状より、把持孔１に後端部５aを挿入する前段階として、後端部５aを受けて支持する支持部材としての役割も果たす。
【００２５】
図１の（ｂ）は、商品陳列用具１０の側面図を示しいている。商品陳列用具１０の内部構造を見やすくするために、Ａ−Ａ断面を図２の（a）に、Ｂ−Ｂ断面を図２の（ｂ）に、Ｃ−Ｃ断面を図２の（ｃ）に、Ｄ−Ｄ断面を図２の（ｄ）に示している。
【００２６】
図２の（a）では、把持孔１へ後端部５aを挿入する側、つまり把持孔１の前方に第二誘導部２が、第二誘導部２の前方に第一誘導部３が設けられている。また、開口面３aは第二誘導部２に連続し、この第二誘導部２の側面２aは把持孔１に連続している。この把持孔１には、任意にバネ部材Ｓを設け、後端部５aを把持することを補助している。なお、この連続しているとは、物理的に各部材が連続していることのみではなく、各部材において後端部５aを誘導することが、連続的に機能することも意味している。
【００２７】
図２（ｂ）では、開口面３aが、把持孔１から上方に向けて広がるように開口しており、開口面３aの上方から後端部５aを接触させることが容易となっている。なお、この開口面３aの開口幅は、後端部５aを開口面３aへ接触させ易くするために、後端部５aの下面（言い換えるならば、後端部５aを開口面３aの開口側から進入させた際に、開口面３aへ接触する後端部５aの接触面）の幅以上であることが望ましい。また、開口面３aが把持孔１に向けて傾斜しているため、後端部５aは、開口面３a上のどの場所に接触していても、把持孔１へ誘導されやすい。さらに、開口面３aの傾斜は、その開口幅が図２の（ｂ）の手前側から奥側に進むにつれて狭くなるように、把持孔１へ向けて傾斜させても、後端部５aは把持孔１へ誘導されやすくなる。
【００２８】
また、開口面３aは、商品陳列用具１０の前方側に備えられているため、商品陳列用具１０の周囲に商品等が陳列されても、開口面３aの位置は商品陳列用具１０に対面している作業者から認識することができる。一方、従来の商品陳列用具２０では（図５参照）、商品陳列用具２０に対面する手前側の作業者から把持孔１１の穴の位置を確認することが困難であった。そのため、後端部１５aを把持孔１１に差し込む作業は、より一層煩雑になっていたが、そのような問題を解消することが出来る。
【００２９】
商品陳列用具１０に対面している作業者は、開口面３aの位置を確認し、開口面３aの上方あたりを目安に後端部５aを近づけて下方へ下ろすようにすれば、後端部５aが開口面３a上のいずれかの場所に接触することになる。この作業は、作業者が後端部５aの反対側の先端部５ｂ側を手で持って操作すれば、十分に行うことが出来る。
【００３０】
そして、後端部５aが開口面３a上のいずれかの場所に接触した状態で、そのまま商品吊下棒５を商品陳列用具１０に向けて押し込む。すると、開口面３aは第二誘導部２に連続しているため、後端部５aは第二誘導部２の内部へと誘導されることになる。また、図２の（ｃ）に示すように、第二誘導部２が筒状形状となっているため、第二誘導部２内部に誘導されてきた後端部５aは、作業者の誤操作により、上下左右のいずれかに動かされても第二誘導部２の内部に留まることになる。そのため、作業者は後端部５aの動きに特に注意を払わなくてもよく、作業者の負担が軽減される。
【００３１】
さらに、第二誘導部２の側面２aは、把持孔１に向けて傾斜しているので、押し込まれて誘導されてきた後端部５aは側面２aに接触しながら、さらに把持孔１に向けて誘導されることになる。なお、側面２aの形状は、筒状形状であって把持孔１に向けて傾斜しているので、ちょうど、把持孔１に向かうにつれて（図２の（ｃ）では奥側に向かって）その内径が狭くなるような、ラッパ形状をしている。したがって、後端部５aは、側面２a上のどの位置に接触しても、把持孔１へ誘導されて挿入されることになる。
【００３２】
次に、図２の（ｄ）では、把持孔１の内径よりも少しだけ小さい径であって、弾性のある押圧部Ｓaを有するバネ部材Ｓが取り付けられている。後端部５aが把持孔１に挿入されると、押圧部Ｓaが後端部５aの溝５ｃに嵌り押圧するので把持力を補強し、また、押圧部Ｓaが溝５ｃに係止するので、商品吊下棒５が把持孔１から容易に抜けるのを防止することになる。なお、後端部５aを把持孔１に挿入するだけでも、把持孔１は後端部５aを十分に把持できるものであるが、任意に把持力を増強し、また商品吊下棒５の抜けを防止するものとして、このバネ部材Ｓを用いることもでき、勿論バネ部材Ｓの代わりに、後端部５aの一部と係合する係合爪を用いることや、その他の手段を適宜用いることができる。
【００３３】
次に、図３の（a）〜（ｃ）は、本願発明の商品陳列用具１０の把持孔１に商品吊下棒５を挿入する様子を示している。図３の（a）では、開口面３aの下側の開口面底部３bに後端部５aが接触した状態を示している。この開口面底部３bは、第二誘導部２に連続しており、把持孔１に向けて傾斜している。したがって、この状態のまま、商品吊下棒５を押し込めば、後端部５aは、開口面底部３bから第二誘導部２、第二誘導部２から把持孔１へと誘導される。そして、図３の（ｃ）に示すように、確実に把持孔１に挿入され、押圧部Ｓaが後端部５aの溝５ｃに嵌り、係止することになる。
【００３４】
一方、図３（ｂ）では、開口面３aの上側の開口面上部３ｃに後端部５aが接触した状態を示している。この状態で商品吊下棒５を押し込めば、後端部５aは、把持孔１に向けて傾斜した側面２aに接触し、把持孔１へと誘導される。そして、図３の（ｃ）に示すように、後端部５aは把持孔１に把持され、押圧部Ｓaが後端部５aの溝５ｃに嵌り、係止することになる。
【００３５】
このように、後端部５aが開口面３aの開口面底部３bから開口面上部３ｃのいずれの位置に接触していても、その接触させた状態で商品吊下棒５を押し込めれば、後端部５aは把持孔１に確実に挿入され把持されることになる。
【００３６】
次に、図４の（a）、（ｂ）は、本願発明の商品陳列用具１０の使用態様の一例を示している。商品陳列用具１０は、その下部に設けられた係止部４を、陳列棚等の支柱Ｚに係止することで、取り付けられる。また、商品吊下棒５には商品Ｘが吊り下げて陳列されており、商品表示棒６の先端には、その商品Ｘの品質等を表示する商品表示板Ｙが取り付けられている。
【００３７】
ここで、先入先出となるように新たな商品を補充する際には、まず、商品Ｘが吊り下げられたままの商品吊下棒５を、その先端部５ｂ側を持って手前側へ引き抜いて取り外す。そして、新たな商品Ｘを後端部５a側から補充する。ここで、従来の商品陳列用具２０（図５参照）では、吊り下げられている商品X２を落とさないように商品吊下棒１５を水平に保ったまま、新たな商品X１を補充しようとすると、後端部１５aが下方に屈曲しているので、後端部１５aの先端に商品X１の係止穴X１aを通すのは面倒であった。一方、図４に示すように、商品Xが水平となるように商品吊下棒５を保持したときに、商品吊下棒５の後端部５aは、水平方向へ向くようになっている。そのため、
吊り下げられている商品Xを落とさないように水平に保ったままで、後端部５aの先端に商品の係止穴を通すのが容易であり、従来のように新たな商品を補充するのが面倒ではない。
【００３８】
次に、新たな商品を補充したら再び後端部５aを商品陳列用具１０の把持孔１に差し込む作業をする。この作業にあたっては、まず後端部５aを開口面３aに接触させる必要があるが、開口面３aの位置は、周囲に商品Ｘが陳列されていても、商品陳列用具１０に対面する商品表示板Ｙ側から認識することができる。
【００３９】
そして、開口面３aの位置を確認したら、後端部５aを開口面３aに近づけて接触させる。この操作は、図２で説明したように、従来と比較して正確性を要しない簡単な操作であるため、作業者は先端部５ｂ側を手で持って操作することで、作業を十分行うことが出来る。また、作業者は、商品吊下棒５を商品表示板Ｙ側から商品表示棒６に沿って移動させ、開口面３aまで移動したときに下方に下ろすという機械的な動作により、後端部５aを開口面３aに接触させることもできる。
【００４０】
さらに、後端部５aを開口面３aに接触させた状態のまま、先端部５ｂ側から力を入れて商品吊下棒５を押し込むだけで、図２及び図３で説明したように、商品吊下棒５の後端部５aは把持孔1に確実に挿入され把持されることになる。
【００４１】
なお、本願発明の商品陳列用具は、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００４２】
本願発明の商品陳列用具は、商品が密集して陳列されていても、商品吊下棒の先端部側における簡単な操作により、手間がかからず容易に商品の補充作業を可能とすることが要請される産業分野に利用することができる。
【図１】
0005840880.tif 000002
【図２】
0005840880.tif 000003
【図３】
0005840880.tif 000004
【図４】
0005840880.tif 000005
【図５】
0005840880.tif 000006